(57)【特許請求の範囲】
【請求項１】
処理室内の気体を吸気する吸気口と前記気体を排気する排気口とを有する筐体と、前記筐体内に設けられた回転軸を中心に回転することによって前記吸気口における圧力を前記排気口における圧力よりも低くする回転翼と、前記吸気口に取付けられた円環状の鍔部と前記鍔部の内側に形成された網部とからなる保護網とを備えた真空ポンプであって、
前記網部は、
前記鍔部の径方向において区画されて、前記回転軸に近づくに連れて前記回転翼との間の距離が大きくなるように、前記回転軸の軸方向における位置を異にする複数の平坦領域と、
前記径方向において隣り合う前記平坦領域を前記回転軸の略軸方向に沿って連結する複数の段差領域とを備えたことを特徴とする真空ポンプ。
【請求項２】
請求項１に記載する真空ポンプであって、
前記平坦領域は前記回転軸に対して軸対称であることを特徴とする真空ポンプ。
【請求項３】
請求項１又は２に記載する真空ポンプであって、
前記平坦領域は、前記軸方向から見て前記回転軸を中心とする同心円環状であり、
前記段差領域は、前記軸方向から見て前記回転軸を中心とする同心円状であることを特徴とする真空ポンプ。
【請求項４】
請求項１又は２に記載する真空ポンプであって、
前記保護網と前記回転翼との間に設けられて前記回転軸を回転可能に支持する軸受け部を備え、
前記軸受け部は、
前記吸気口の内側に架設される支持部と、
前記支持部に支持される軸受けとを備え、
前記段差領域は、前記回転軸から見て前記支持部の縁と重畳することを特徴とする真空ポンプ。
【請求項５】
処理室内の気体を吸気する吸気口と前記気体を排気する排気口とを有する筐体に、前記筐体内に設けられた回転軸を中心に回転することによって前記吸気口における圧力を前記排気口における圧力よりも低くする回転翼を設け、円環状の鍔部と前記鍔部の内側に形成された網部とからなる保護網を前記吸気口に取付けた真空ポンプの製造方法であって、
前記網部にプレス加工を施して前記網部を前記鍔部の径方向において区画し、前記回転軸に近づくに連れて前記網部と前記回転翼との間の距離が大きくなるように、前記回転軸の軸方向に置ける位置を異にする複数の平坦領域と、前記径方向において隣り合う前記平坦領域を前記回転軸の略軸方向に沿って連結する複数の段差領域とを前記網部に形成したことを特徴とする真空ポンプの製造方法。
【発明の詳細な説明】
【技術分野】
【０００１】
本発明は、真空ポンプ、及び真空ポンプの製造方法に関する。
【背景技術】
【０００２】
大型ＦＰＤ（Flat Panel Display ）の製造技術には、広い圧力領域で大きな排気量を
得るため、真空ポンプとしてのターボ分子ポンプが広く利用されている。ターボ分子ポンプの吸気口には、一般的に、処理空間から侵入する異物と回転翼との衝突を防ぐため、吸気口の全体を覆うように保護網が取付けられている。
【０００３】
吸気口に取付けられる保護網は、処理空間から飛来する粒子との衝突によって加熱されることから、温度勾配に応じた熱的な膨張を来たして変形してしまう。そして、熱的に膨張する保護網が吸気口から回転翼に向けて変形する場合には、保護網と回転翼との衝突を招いて、終には、保護網や回転翼に機械的な損傷を来たしてしまう。そこで、ターボ分子ポンプにおいては、従来から、上記問題を解決するための提案がなされている。
【０００４】
特許文献１の保護網は、鍔部に絞り加工が施されて、網部の中心部が処理空間へ膨らむ円弧状（以下単に、凸曲面状と言う。）に形成されている。これによれば、処理空間に向かうストレスが保護網の網部に加えられることから、熱的な膨張によって発生する網部の座屈が、処理空間に向けて、すなわち、回転翼から離間する方向へ起き易くする。
【特許文献１】特開２００５‐３４４５１２号公報
【発明の開示】
【発明が解決しようとする課題】
【０００５】
特許文献１の保護網では、絞り加工によって鍔部の内縁に大きな残留応力が与えられる一方、鍔部の内側、すなわち、凸曲面状の網部には殆ど応力が与えられない。そのため、凸曲面状に形成される網部では、処理空間から回転翼へ向かう外力が一度に加わると、鍔部の内縁が拘束箇所となり、凸曲面状の網部が回転翼に向けて膨らむ円弧状（以下単に、凹曲面状と言う。）に反転してしまう。例えば、ターボ分子ポンプを用いた排気動作を開始するとき、網部の全体には、処理空間の圧力とポンプの内圧との差圧に応じた押圧力が加えられる。また、処理空間からの異物が網部へ飛来する場合にも、網部の全体には、異物からの衝撃に応じた押圧力が加えられる。この結果、特許文献１の保護網では、凸曲面状の網部が容易に凹局面状へ反転してしまい、保護網と回転翼との衝突を十分に防ぎ難いという問題があった。こうした問題は、保護網を厚くすることによって解決可能と考えられるが、保護網を厚くする場合には、保護網の厚みの分だけ、保護網の生産コストや真空ポンプの吸気抵抗が増大してしまう。
【０００６】
本発明は、上記問題を解決するためになされたものであり、保護網の形状の安定化を図ることによって保護網や回転翼の機械的な損傷を抑えた真空ポンプと、その真空ポンプの製造方法とを提供することを目的とする。
【課題を解決するための手段】
【０００７】
請求項１に記載する真空ポンプは、処理室内の気体を吸気する吸気口と前記気体を排気する排気口とを有する筐体と、前記筐体内に設けられた回転軸を中心に回転することによって前記吸気口における圧力を前記排気口における圧力よりも低くする回転翼と、前記吸気口に取付けられた円環状の鍔部と前記鍔部の内側に形成された網部とからなる保護網とを備えた真空ポンプであって、前記網部は、前記鍔部の径方向において区画されて、前記回転軸に近づくに連れて前記回転翼との間の距離が大きくなるように、前記回転軸の軸方
向における位置を異にする複数の平坦領域と、前記径方向において隣り合う前記平坦領域を前記回転軸の略軸方向に沿って連結する複数の段差領域とを備えた。
【０００８】
請求項１に記載する真空ポンプによれば、鍔部の径方向において、網部が複数の段差領域により区画される分だけ、該径方向における平坦な領域が小さくなり、平坦領域ごとの受圧面積が小さくなる。そして、受圧面積の小さい各平坦領域が、それぞれ段差領域によって支えられる。したがって、真空ポンプは、各平坦領域の回転翼に向かう方向への変形を抑えられることから、保護網の形状の安定化を図ることができ、ひいては、保護網や回転翼の機械的な損傷を抑えられる。
【０００９】
請求項２に記載する真空ポンプは、請求項１に記載する真空ポンプであって、前記平坦領域が、前記回転軸に対して軸対称である。
請求項２に記載する真空ポンプによれば、平坦領域が軸対称になることで保護網の剛性の均一化を図ることができる。この結果、保護網は、外力に対しての耐力に関して、部位ごとの差を生じ難くなり、熱変形を生じる場合であっても、変形度合いを均一化でき、局所的に大きな変形を回避できる。
【００１０】
請求項３に記載する真空ポンプは、請求項１又は２に記載する真空ポンプであって、前記平坦領域が、前記軸方向から見て前記回転軸を中心とする同心円環状であり、前記段差領域が、前記軸方向から見て前記回転軸を中心とする同心円状である。
【００１１】
請求項３に記載する真空ポンプによれば、平坦領域が同心円状になることから、他の軸対称型に比べて、圧力分布の均一化を図ることができる。
請求項４に記載する真空ポンプは、請求項１又は２に記載する真空ポンプであって、前記保護網と前記回転翼との間に設けられて前記回転軸を回転可能に支持する軸受け部を備え、前記軸受け部は、前記吸気口の内側に架設される支持部と、前記支持部に支持される軸受けとを備え、前記段差領域が、前記軸方向から見て前記支持部の縁と重畳する。
【００１２】
請求項４に記載する真空ポンプによれば、軸受け部と平坦領域との間の流路抵抗を大きくできることから、処理室内の圧力分布の均一化を一層に図ることができる。したがって、保護網の形状の安定性を、より一層に向上できる。
【００１３】
請求項５に記載する真空ポンプの製造方法は、処理室内の気体を吸気する吸気口と前記気体を排気する排気口とを有する筐体に、前記筐体内に設けられた回転軸を中心に回転することによって前記吸気口における圧力を前記排気口における圧力よりも低くする回転翼を設け、円環状の鍔部と前記鍔部の内側に形成された網部とからなる保護網を前記吸気口に取付けた真空ポンプの製造方法であって、前記網部にプレス加工を施して前記網部を前記鍔部の径方向において区画し、前記回転軸に近づくに連れて前記網部と前記回転翼との間の距離が大きくなるように、前記回転軸の軸方向に置ける位置を異にする複数の平坦領域と、前記径方向において隣り合う前記平坦領域を前記回転軸の略軸方向に沿って連結する複数の段差領域とを前記網部に形成した。
【００１４】
請求項５に記載する真空ポンプの製造方法によれば、網部に施すプレス加工によって、径方向における平坦な領域が段差部によって区画され、平坦領域ごとの受圧面積が小さくなる。そして、各段差部には、プレス加工によって、回転翼から離れる方向への応力が与えられる。したがって、この真空ポンプの製造方法によれば、受圧面積の小さい各平坦領域が、残留応力を回転翼から離れる方向へ意図的に残すことができるから、より低い製造コストの下で、保護網の形状の安定化を図ることができ、ひいては、保護網や回転翼の機械的な損傷を抑えられる。
【発明の効果】
【００１５】
上記したように、本発明によれば、保護網の形状の安定化を図ることによって保護網や回転翼の機械的な損傷を抑えた真空ポンプと、その真空ポンプの製造方法とを提供できる。
【発明を実施するための最良の形態】
【００１６】
（第一実施形態）
以下、本発明を具体化した第一実施形態を図面に従って説明する。図１は、真空ポンプとしてのターボ分子ポンプ１０を模式的に示す側断面図である。図２（ａ）は保護網２０を模式的に示す平面図であり、図２（ｂ）は図２（ａ）のＡ−Ａ断面図である。
【００１７】
図１において、ターボ分子ポンプ１０は、大型ＦＰＤや大型光電変換装置等の各種大型パネルの製造工程を実行するための処理室Ｔに搭載されている。ターボ分子ポンプ１０は、ゲートバルブＶを介して処理室Ｔの内部空間（以下単に、処理空間Ｓと言う。）に連結され、ゲートバルブＶが開くときに、処理空間Ｓに対する排気処理を実行し、ゲートバルブＶが閉じるときに、処理空間Ｓから隔絶される。
【００１８】
ターボ分子ポンプ１０は、有底円柱状をなす筐体１１を有している。筐体１１の上側に設けられた吸気口フランジ１１ａは処理室Ｔに連結され、筐体１１の下側に設けられた排気口フランジ１１ｂは後段の真空系に連結されている。筐体１１の内部と処理空間Ｓとの間は、円形孔状の吸気口１２を介して連通している。また、筐体１１の内部と、図示しない後段の真空系との間は、排気口１３を介して連通している。本実施形態においては、吸気口１２の口径を、吸気径Ｒと言う。
【００１９】
筐体１１の内部には、吸気口１２の径方向の内側へ延びる複数段の静翼１１ｃが、筐体１１の内側面の全周方向にわたり固設されている。筐体１１の内部に配設された有蓋円筒状のロータ１４は、回転モータＭとピボット軸受け１５とによって軸支され、回転モータＭからの駆動力を受けるとき、軸Ｃを中心にして高速回転する。ロータ１４の外周面には、筐体１１の径方向外側へ延びる複数段の回転翼１６が、それぞれ上下方向に沿って固設されている。複数段の静翼１１ｃと複数段の回転翼１６とは、それぞれ上下方向において交互に配置されている。
【００２０】
吸気口１２から筐体１１へ進入する気体は、ロータ１４が高速回転するときに、回転翼１６の回転によって下段の静翼１１ｃへ順に送られて最終的に排気口１３から排気される。これによって、ターボ分子ポンプ１０は、吸気口１２に高真空を形成すると共に、排気口１３に低真空を形成する。
【００２１】
最上段の回転翼１６とゲートバルブＶとの間には、吸気口１２の全体を覆う保護網２０が、Ｃリング等の止め具２１によって吸気口フランジ１１ａに固定されている。保護網２０は、処理空間Ｓから飛来する異物を捕獲することにより、回転翼１６や静翼１１ｃ等の機械的な損傷を防ぐ。本実施形態においては、保護網２０の下端とゲートバルブＶの下端との間の距離を、許容段差高Ｈと言う。
【００２２】
図２において、保護網２０は、吸気口フランジ１１ａに取付けられる円環状の鍔部２２と、鍔部２２の内側に張設された網部２３とからなる。保護網２０の鍔部２２は、内径が吸気径Ｒより若干大きく形成されて、吸気口１２の領域に網部２３のみを配置させる。これによって、保護網２０は吸気口１２における流路抵抗の増大、すなわち、保護網２０の取り付けに伴う吸気抵抗の増大を抑える。
【００２３】
保護網２０の網部２３は、格子状の金網（メッシュ）であり、鍔部２２の径方向において、２つの段差部２３ｓによって３つの平坦部２３ｆに区画されている。３つの平坦部２
３ｆと２つの段差部２３ｓとは、それぞれ全体が平坦に形成された格子状の金網にプレス加工を施すことによって形成されている。これによれば、保護網２０を製造する上において、絞り加工を行う必要がなく、より低いコストと、より高い生産性とが実現できる。
【００２４】
３つの平坦部２３ｆは、それぞれ略水平方向に沿って張設された格子状の金網からなり、軸Ｃに対して軸対称になるように、軸Ｃの方向から見て、軸Ｃを中心にする同一円環状に形成されている。３つの平坦部２３ｆは、それぞれ鍔部２２の径方向において等しい幅（以下単に、平坦幅Ｒ１と言う。平坦幅Ｒ１＝吸気径Ｒ／５）を有し、鍔部２２の径方向に沿って等配されている。網部２３は、下方への押圧力を受けるとき、該押圧力を３つの平坦部２３ｆへ分散させる。
【００２５】
３つの平坦部２３ｆは、軸Ｃに近づくに連れて回転翼１６との間の距離が大きくなるように、軸Ｃの方向における位置を異にする。すなわち、３つの平坦部２３ｆは、それぞれ軸Ｃに近いほど、該平坦部２３ｆと最上段の回転翼１６との間の距離を大きくする。これによれば、軸Ｃの方向における各平坦部２３ｆの位置が、それぞれ鍔部２２の下端よりも上方になることから、保護網２０と回転翼１６との間の距離を短くでき、ひいては、筐体１１の小型化を図ることができる。
【００２６】
本実施形態においては、鍔部２２の下端と、最上段の平坦部２３ｆとの間の距離を、総段差高Ｈａと言う。総段差高Ｈａは、最上段の平坦部２３ｆが上方の部材と接触しないように設定されている。例えば、本実施形態における総段差高Ｈａは、最上段の平坦部２３ｆとゲートバルブＶとが接触しないように、総段差高Ｈａ＜許容段差高Ｈを満たすように設定されている。これによれば、保護網２０と回転翼１６との間の距離を短くでき、かつ、保護網２０と他の部材との接触を回避できる。
【００２７】
２つの段差部２３ｓは、それぞれ平坦部２３ｆから連続する格子状の金網からなり、径方向において隣り合う平坦部２３ｆの間に、軸Ｃの略軸方向に沿って、張設されている。２つの段差部２３ｓは、軸Ｃに対して軸対称になるように、軸Ｃの方向から見て、軸Ｃを中心にする同心円状に形成されている。２つの段差部２３ｓは、それぞれ平坦部２３ｆの面方向から見て、その幅（以下単に、段差高Ｈｓと言う。）が等しくなるように形成され、かつ、その段差高Ｈｓが許容段差高Ｈの半分以下になるように形成されている。これによれば、回転する回転翼１６と各平坦部２３ｆとの間の距離、すなわち、流路抵抗が、軸Ｃの周方向において均一になる。よって、保護網２０は、処理空間Ｓの圧力分布の均一化を図ることができ、保護網２０の形状の安定性を向上できる。
【００２８】
２つの段差部２３ｓには、それぞれ網部２３のプレス加工によって、回転翼１６から離れる方向への残留応力が与えられている。これによれば、受圧面積の小さい各平坦部２３ｆが、その外周及び内周の全体にわたり、それぞれ回転翼１６から離れる方向への応力を受け続ける。
【００２９】
そして、保護網２０が下方への押圧力を受けるとき、該押圧力が３つの平坦部２３ｆへ分散し、各平坦部２３ｆがそれぞれ該押圧力に抗する応力を段差部２３ｓから受ける。したがって、保護網２０は、各平坦部２３ｆにおいて回転翼１６の側への変形を確実に抑えられ、網部２３の全体にわたり、形状の安定化を図ることができる。
【００３０】
上記第一実施形態によれば、以下の効果を得ることができる。
（１）第一実施形態における網部２３は、鍔部２２の径方向において区画されて、軸Ｃに近づくに連れて回転翼との間の距離が大きくなるように、軸Ｃの方向における位置を異にする複数の平坦部２３ｆと、軸Ｃの径方向において隣り合う平坦部２３ｆを軸Ｃの略軸方向に沿って連結する複数の段差部２３ｓとを備えた。
【００３１】
したがって、ターボ分子ポンプ１０によれば、鍔部２２の径方向において、網部２３が複数の段差部２３ｓによって区画される分だけ、平坦部２３ｆごとの受圧面積が小さくなる。そして、受圧面積の小さい各平坦部２３ｆが、それぞれ段差部２３ｓによって支えられる。すなわち、各平坦部２３ｆは、最上段の回転翼１６から離れる方向へ、残留応力を意図的に残すことができる。この結果、ターボ分子ポンプ１０は、各平坦部２３ｆの回転翼１６への変形を抑えられることから、保護網２０の形状の安定化を図ることができ、ひいては、保護網や回転翼の機械的な損傷を抑えられる。
【００３２】
（２）第一実施形態における網部２３は、軸Ｃに対して軸対称の平坦部２３ｆを有する。したがって、回転する回転翼１６と保護網２０との間の流路抵抗が軸Ｃに対して軸対称になる。この結果、ターボ分子ポンプ１０は、平坦部２３ｆが軸対称になることで保護網２０の剛性の均一化を図ることができる。よって、保護網２０は、外力に対しての耐力に関して、部位ごとの差を生じ難くなり、熱変形を生じる場合であっても、変形度合いを均一化でき、局所的に大きな変形を回避できる。
【００３３】
（３）第一実施形態における平坦部２３ｆは、軸Ｃの方向から見て軸Ｃを中心とする同心円環状であり、段差部２３ｓは、同軸方向から見て軸Ｃを中心とする同心円状である。したがって、保護網２０は、他の軸対称型に比べて、圧力分布の均一化を図ることができる。
（第二実施形態）
以下、本発明を具体化した第二実施形態を図面に従って説明する。第二実施形態は、第一実施形態におけるロータ１４の軸受けと保護網２０とを変更したものである。そのため、以下においては、その変更点について詳しく説明する。図３は、第二実施形態のターボ分子ポンプ１０を模式的に示す側断面図である。図４（ａ）は第二実施形態の保護網２０を模式的に示す平面図であり、図４（ｂ）は図４（ａ）のＡ−Ａ断面図である。
【００３４】
図３において、筐体１１の内部に配設されたロータ１４の下部は、ピボット軸受け２４を介して筐体１１に回転可能に支持されている。また、ロータ１４の上部は、磁気軸受け２５を介して支持部２６に回転可能に支持されている。本実施形態においては、磁気軸受け２５と支持部２６とによって軸受け部が構成されている。
【００３５】
図４において、支持部２６は、吸気口１２の内縁に頂点を有した略三角形板状に形成されて、吸気口１２の内側に架設されている。保護網２０の網部２３は、格子状の金網であり、軸Ｃの方向から見て、支持部２６と対向する三角板状の平坦部２３ｆと、支持部２６の縁に重なる段差部２３ｓとを有する。保護網２０の網部２３は、支持部２６と対向する平坦部２３ｆを、段差高Ｈｓの分だけ、支持部２６から均一に離間させ、支持部２６と平坦部２３ｆとの間の流路抵抗を均一に低減させる。これによって、ターボ分子ポンプ１０は、支持部２６の上における流路抵抗を、段差高Ｈｓの分だけ低くでき、回転翼１６と保護網２０との間に支持部２６を配設する場合であっても、処理空間Ｓの圧力分布の均一化を図ることができる。ひいては、保護網２０の形状の安定性を向上できる。
【００３６】
上記第二実施形態によれば、以下の効果を得ることができる。
（４）第二実施形態におけるターボ分子ポンプ１０は、保護網２０と回転翼１６との間に設けられてロータ１４を回転可能に支持する支持部２６を有する。そして、網部２３の段差部２３ｓが、軸Ｃの方向から見て、支持部２６の縁に重なるように形成されている。したがって、ターボ分子ポンプ１０によれば、支持部２６と平坦部２３ｆとの間の流路抵抗を段差高Ｈｓの分だけ、均一に大きくできる。この結果、ターボ分子ポンプ１０は、処理空間Ｓの圧力分布の均一化を図ることができ、ひいては、保護網２０の形状の安定性を、より一層に向上できる。
【００３７】
尚、上記実施形態は、以下の態様で実施しても良い。
・上記第一実施形態において、各平坦部２３ｆの平坦幅Ｒ１は、それぞれ同じサイズであるが、これに限らず、各平坦部２３ｆの平坦幅Ｒ１は、それぞれ異なる値であっても良い。例えば、保護網２０は、相対的に高い温度領域に、狭い幅からなる平坦部２３ｆを設け、相対的に低い温度領域に、広い幅からなる平坦部２３ｆを設ける構成であっても良い。これによれば、各平坦部２３ｆがそれぞれ温度に応じた受圧面積を有することから、保護網２０の熱的変形を、さらに抑えられる。
【００３８】
・上記第一実施形態においては、各段差部２３ｓの段差高Ｈｓがそれぞれ同じサイズに形成されている。これに限らず、各段差部２３ｓの段差高Ｈｓは、それぞれ異なる値であっても良い。
【００３９】
・上記実施形態においては、平坦部２３ｆと段差部２３ｓとが、それぞれ軸Ｃに対して軸対称をなすが、これに限らず、平坦部２３ｆと段差部２３ｓとが、軸Ｃに対して非対称をなす構成であっても良い。また、上記実施形態における網部２３は、複数の平坦部２３ｆと複数の段差部２３ｓとを有するが、これに限らず、網部２３が１つの平坦部２３ｆと１つの段差部２３ｓとを有する構成であっても良い。
【００４０】
図５（ａ）は変更例の保護網２０を模式的に示す平面図であり、図５（ｂ）は図４（ａ）のＡ−Ａ断面図である。図５において、網部２３は軸Ｃに向かう渦巻き状に形成された１つの平坦部２３ｆを有する。渦巻き状をなす平坦部２３ｆは、軸Ｃに近いほど、回転翼１６と平坦部２３ｆとの間の距離を大きくする。渦巻き状をなす平坦部２３ｆの縁は、渦巻き状に形成された１つの段差部２３ｓによって連結されている。
【００４１】
１つの段差部２３ｓには、プレス加工によって、回転翼１６から離れる方向への応力が与えられている。渦巻き状をなす１つの平坦部２３ｆは、鍔部２２の径方向において、段差部２３ｓにより、受圧面積の小さい複数の平坦領域に区画される。これによって、保護網２０が下方への押圧力を受けるとき、該押圧力が鍔部２２の径方向において平坦部２３ｆの各領域へ分散し、平坦部２３ｆの各領域がそれぞれ押圧力に抗する応力を段差部２３ｓから受ける。したがって、保護網２０は、平坦部２３ｆに関する回転翼１６の側への変形を抑えられ、網部２３の全体にわたり、形状の安定化を図ることができる。
【００４２】
・上記実施形態における保護網２０の直上には、ゲートバルブＶが配設されるが、これに限らず、保護網２０の直上には、基板を支持するための支持ステージ等が配設される構成であっても良い。
【図面の簡単な説明】
【００４３】
【図１】第一実施形態の真空ポンプを模式的に示す側断面図。
【図２】（ａ）、（ｂ）は、それぞれ第一実施形態の保護網を示す平面図、側断面図。
【図３】第二実施形態の真空ポンプを模式的に示す側断面図。
【図４】（ａ）、（ｂ）は、それぞれ第二実施形態の保護網を示す平面図、側断面図。
【図５】（ａ）、（ｂ）は、それぞれ変更例の保護網を示す平面図、側断面図。
【符号の説明】
【００４４】
Ｃ…回転軸としての軸、Ｔ…処理室、１０…真空ポンプとしてのターボ分子ポンプ、１１…筐体、１２…吸気口、１３…排気口、１４…回転軸を構成するロータ、１６…回転翼、２０…保護網、２２…鍔部、２２ｆ…平坦領域としての平坦部、２２ｓ…段差領域とし
ての段差部、２３…網部。
【図１】
0005064264.tif 000002
【図２】
0005064264.tif 000003
【図３】
0005064264.tif 000004
【図４】
0005064264.tif 000005
【図５】
0005064264.tif 000006